(57)【要約】      （修正有）【課題】墓地同様の永代使用に耐え得る耐候性や頑強性を有し、取り扱いが容易で小さな力で開閉が可能、設置スペースを省力化可能なコンパクト、墓地墓標とマッチングする小物入れを提供する。【解決手段】同心円円柱で該内部に空間を有し３０〜５０％の開口部を持たせた筐体に、該筐体の外周円径よりも略大きな径の天板と底板を固着した外筐体と、該外筐体の内周円径よりも略小さな径を有し５０〜３０％の開口部を持たせた円柱状の筐体に、該筐体外周円と同径の天板と底板を固着した内筐体で構成され、内筐体は外筐体内部に収められかつ天板と底板に設けられた支障部により回転自在とする。【選択図】図６
0003152529.tif 000002
【実用新案登録請求の範囲】
【請求項１】
同心円円柱で該内部に空間を有し３０〜５０％の開口部を持たせた筐体に、該筐体の外周円径よりも略大きな径の天板と底板を固着した外筐体と、該外筐体の内周円径よりも略小さな外径を有し５０〜３０％の開口部を持たせた外筐体と同形状の円柱状の筐体に、該筐体外周円と同径の天板と底板を固着した内筐体で構成され、内筐体は外筐体内部に収められかつ各天板と各底板の中心部に設けられた支障部により、内筐体が回転自在とすることを特徴とする小物入れ。
【請求項２】
外筐体の天板及び／又は底板が多角形のほか自由形状であることを特徴とする請求項１に記載の小物入れ。
【請求項３】
外筐体及び内筐体の断面形状が多角形のほか自由形状であることを特徴とする請求項１又は請求項２に記載の小物入れ。
【請求項４】
外筐体及び内筐体の内外面に文様を施すことを特徴とする請求項１から請求項３に記載の小物入れ。
【考案の詳細な説明】
【技術分野】
【０００１】
本願考案は外筐体と内筐体が一体となった小物入れであり、内筐体を回転自在とすることで小物入れの開閉状態が容易でありかつデザイン性に優れる小物入れに関する。
【背景技術】
【０００２】
小物入れには、箱形が主流であり上蓋方式、前面引き戸方式、観音開き方式などが一般的な形状や構造であることは習知の事実である。また、本来小物入れは屋内での使用向けに材料の選定や構造が創作されているので、屋外型となると耐久性の面から素材を金属とする引き戸型が主流である。
【考案の開示】
【考案が解決しようとする課題】
【０００３】
本願考案は、そもそも墓地における墓参時や日常の管理向けの小物入れを想定して発想したものであり、素材に関しても石造を想定している。しかしながら本願考案の構造およびデザイン性がその当初目的外であるアクセサリーの収納や子供の玩具入れ向けにも多様化できることに特徴がある。
【課題を解決するための手段】
【０００４】
本願考案の発想着眼点が、墓地の小物入れにあり、石造品としたことに大きな特徴を持っている。即ち墓地同様の永代使用に耐え得る耐候性や頑強性を有すること、取り扱いが容易で小さな力で開閉が可能なこと、設置スペースを省力化可能なコンパクトさ、墓地墓標とのマッチング等から考案された構造・形状に特徴を持たせている。
【０００５】
請求項１に記載の小物入れは、本願考案の基本的な構造・形状である。
同心円円柱で該内部に空間を有し３０〜５０％の開口部を持たせた筐体に、該筐体の外周円径よりも略大きな径の天板と底板を固着した外筐体と、該外筐体の内周円径よりも略小さな外径を有し５０〜３０％の開口部を持たせた円柱状の外筐体と同形状の筐体に、該筐体外周円径と同径の天板と底板を固着した内筐体で構成され、内筐体は外筐体内部に収められかつ天板と底板の中心部に設けられた支障部により、内筐体が回転自在とすることを特徴とする小物入れである。
【０００６】
請求項２に記載の小物入れは、請求項１の形状が断面的に円形（好ましくは真円または真円に近い円）としているが、デザインからみて天板や底板が多角形状であってもよいし、設計自由な形状とすることを特徴とする小物入れである。
【０００７】
請求項３に記載の小物入れは、本願考案の着眼点が墓地の小物入れであることに鑑み石造を想定しているが、それ以外の木材や樹脂等を素材とした場合の円柱以外の自由形状とすることを特徴とする小物入れである。
【０００８】
請求項４に記載の小物入れは、外筐体及び内筐体の内外表面に文様を施すことにより、
屋内での利・活用において家具調の雰囲気を醸し出す小物入れを創造可能とする小物入れである。
【考案の効果】
【０００９】
本願考案は、墓地内に静置するための小物入れを創造したのであるが、デザイン性の良さ等を活用するならば、公園のベンチ兼用小物入れにも利・活用可能であるし、素材を木製とすること、塗料等で表面の表現を豊にすることの施用により、アクセサリー保管用の小物入れなどのほか、子供の玩具入れにも利活用できるなど多様的に応用展開が可能である。
【考案を実施するための最良の形態】
【００１０】
請求項１について図１〜図６を用いて詳細に説明する。
図１は本願発明の外筐体Ａの斜視分解図である
外筐体は、同心円の円柱形状であり内部は空洞を呈している。その円周上において３０〜５０％の開口部を持たせた筐体１と、該筐体の円周部外径よりも略大きめの径を有し下面（内部となる面）の中心に支障部４を有する天板２と、該筐体の円周部外径よりも略大きめの径を有し上面（内面となる面）の中心に支障部５を有する底板３を、筐体１の上部には天板２を筐体１の下部には底板３をそれぞれ相互に固着して外筐体Ａを構成する。
【００１１】
図２の（Ａ）は外筐体Ａの開口部方向からの正面図であり、（Ｂ）はＡ−Ａの断面図である。該外筐体Ａは筐体１と底板３が一体型であっても良いし、天板２を含めて全てが一体型でも良い。逆に素材を木材とする場合などは、無垢木の刳り抜きでも良いし、幅峡の板を組み合わせた構造でも良い。天板２や底板３についても一枚の盤状形状又は継ぎ合わせでも構わない。また、筐体１と天板２及び底板３の固着方法は嵌号による組み合わせのほか、接着や接続金物のほかタボであっても良いし、本願考案ではその固着方法を特定しない。
【００１２】
図３は本願発明の内筐体Ｂの斜視分解図である。
内筐体Ｂは、同心円の円柱形状であり内部は空洞を呈している。その円周上において５０〜３０％の開口部を持たせた筐体６と、該筐体６の円周部外径と同等径を有し上面（外部となる面）の中心に支障部９を有する天板７と、該筐体６の円周部外径と同等径を有し下面（外面となる面）の中心に支障部１０を有する底板８を、筐体６の上部には天板７を筐体６の下部には底板８をそれぞれ相互に固着して内筐体Ｂを構成する。
【００１３】
図４の（Ａ）は内筐体Ｂの開口部方向からの正面図であり、（Ｂ）はＢ−Ｂの断面図である。該内筐体Ｂは筐体６と底板８が一体型であっても良いし、天板７を含めて全てが一体型でも良い。逆に素材を木材とする場合などは、無垢木の刳り抜きでも良いし、峡幅の板を組み合わせた構造でも良い。天板７や底板８についても一枚の盤状形状又は継ぎ合わせでも構わない。また、筐体６と天板７及び底板８の固着方法は嵌号による組み合わせのほか、接着や接続金物のほかタボであっても良いし、本願考案ではその固着方法を特定しない。
【００１４】
図５（Ａ）は本願考案の小物入れの外筐体Ａの内部に内筐体Ｂ収めた小物入れについて、内筐体Ｂが閉状態の正面図であり、（Ｂ）はＣ―Ｃの断面図である
外筐体Ａと内筐体Ｂは支障部４，５、９、１０に装填された上部支障体１１および下部支障体１２によって外筐体Ａの内面と内筐体Ｂの外面との隙間を確保したことにより、内筐体Ｂは自由に回転可能な状態を保持している。
なお、内筐体Ｂの外面の端部近傍には内筐体Ｂの開閉を容易にするための取っ手１３が設けられている。該取っ手は突起状に加工しても良く、市販の取っ手金具等を固着しても良く、凹状に加工しても良い。
但し、凹状に加工した場合は、開閉の角度を固定するための系止部(図示せず)を設けることが肝要である。その形状並びに設定位置等は本願考案において特定しない。
【００１５】
図６（Ａ）は本願考案の小物入れの外筐体Ａの内部に内筐体Ｂ収めた小物入れについて、内筐体Ｂが外筐体Ａ内で回転し内部の収納物を出し入れできる開状態の正面図であり、（Ｂ）はＤ―Ｄの断面図である。
【００１６】
請求項２について説明する。
本願考案は墓地内に静置する小物入れを想定しているが、そのデザイン性や利便性等から、公園のベンチを兼用した小物入れのほか、より小型化してのアクセサリー入れにも応用展開するため、外筐体Ａの天板２や底板３の形状を、請求項１に示した円形状にすることなく多角形にすることや、楕円形のほか動物の姿など自由形状とすることを特徴とする小物入れを創造・提案できる。
特に素材を木製や樹脂製にする場合など、用途に応じて形状を自由にすることで応用展開の幅が広がりを見せられることになる。
【００１７】
請求項３について説明する。
本願考案は前記に示したように多様性を有していることなどから、例えば素材を木製から選んだ場合、間伐材など幅狭な板材の活用も考慮して、外筐体Ａ並びに内筐体Ｂの外観は必ずしも円形状に加工することなく、素材の特性を生かした形状に創り上げることも可能であり、多角形にすることや、楕円形のほか動物の姿など自由形状より優れたデザイン性の小物入れを創造・提案できる。
【００１８】
請求項４について説明する。
本願考案は前記に示したように多様性を有していることから、その素材に石材を用いても木材や樹脂並びに金属製であっても、その外筐体Ａ及び内筐体Ｂの表面に動物や草花のほか景色等の文様を凹凸やデザインを施すことによって、老若男女にいたる幅広い分野において利・活用のできる小物入れを創造・提案できる。
なお、本願考案の小物入れの表面は素材の特性を生かして何も施さない場合も、塗料や顔料等を用いて色彩豊かに表現することも含むものとし、表現方法につい本願考案においては特定しない。
【図面の簡単な説明】
【００１９】
【図１】外筐体の斜視分解図
【図２】外筐体、（Ａ）は正面図、（Ｂ）はＡ−Ａ断面図
【図３】内筐体の斜視分解図
【図４】内筐体、（Ａ）は正面図、（Ｂ）はＢ―Ｂ断面図
【図５】本願考案の小物入れの内筐体閉状態、（Ａ）は正面図、（Ｂ）はＣ―Ｃ断面図
【図６】本願考案の小物入れの内筐体開状態、（Ａ）は正面図、（Ｂ）はＤ−Ｄ断面図
【符号の説明】
【００２０】
Ａ  外筐体
Ｂ  内筐体
１  外筐体筐体
２  外筐体天板
３  外筐体底板
４  外筐体天板支承部
５  外筐体底板支承部
６  内筐体筐体
７  内筐体天板
８  内筐体底板
９  内筐体天板支承部
１０  内筐体底板支承部
１１  上部支承体
１２  下部支承体
１３  取っ手
【図１】
0003152529.tif 000003
【図２】
0003152529.tif 000004
【図３】
0003152529.tif 000005
【図４】
0003152529.tif 000006
【図５】
0003152529.tif 000007
【図６】
0003152529.tif 000008
【手続補正書】
【提出日】平成21年6月2日(2009.6.2)
【手続補正１】
【補正対象書類名】実用新案登録請求の範囲
【補正対象項目名】全文
【補正方法】変更
【補正の内容】
【実用新案登録請求の範囲】
【請求項１】
同心円円柱で該内部に空間を有し３０〜５０％の開口部を持たせた筐体に、該筐体の外周円径よりも略大きな径の天板と底板を固着した外筐体と、該外筐体の内周円径よりも略小さな外径を有し５０〜３０％の開口部を持たせた外筐体と同形状の円柱状の筐体に、該筐体外周円と同径の天板と底板を固着した内筐体で構成され、内筐体は外筐体内部に収められかつ各天板と各底板の中心部に設けられた支障部により、内筐体が回転自在とすることを特徴とする小物入れ。
【請求項２】
外筐体の天板及び／又は底板が多角形のほか自由形状であることを特徴とする請求項１に記載の小物入れ。
【請求項３】
外筐体及び内筐体の断面形状が多角形のほか自由形状であることを特徴とする請求項１又は請求項２に記載の小物入れ。
【請求項４】
外筐体及び内筐体の内外面に文様を施すことを特徴とする請求項１から請求項３のいずれか１項に記載の小物入れ。